(57)【要約】【課題】コネクタの端子の数を少なくすることができるオプションボードの電子機器本体への接続回路提供する。【解決手段】電子機器本体に設けたオプションボード用コネクター１の各端子から延びる第１群の各線と電子機器本体側の各接続点から延びる第２群の各線との夫々の交点を導通状態または非導通状態とする夫々のスイッチ２を設け、装着されるオプションボードの識別信号により前記夫々のスイッチ２の導通状態・非導通状態を設定する。【選択図】        図１
2006066667.tif 000002
【特許請求の範囲】
【請求項１】
電子機器本体に設けたオプションボードまたは外部機器接続用コネクターの各端子から延びる第１群の各線と電子機器本体側の各接続点から延びる第２群の各線との夫々の交点を導通状態または非導通状態とする夫々のスイッチを設け、装着されるオプションボードまたは外部機器の識別信号により前記夫々のスイッチの導通状態・非導通状態を設定することを特徴とするオプションボードまたは外部機器の電子機器本体への接続回路。
【請求項２】
前記夫々のスイッチがアナログスイッチで構成されている請求項１のオプションボードまたは外部機器の電子機器本体への接続回路。
【請求項３】
前記夫々のスイッチの導通状態・非導通状態の設定がＦＰＵにより行われる請求項１または２のオプションボードまたは外部機器の電子機器本体への接続回路。
【請求項４】
前記アナログスイッチがクロスポイントスイッチＩＣで構成されている請求項２または３のオプションボードまたは外部機器の電子機器本体への接続回路。
【請求項５】
前記電子機器本体が無線機本体である請求項１から４のいずれかに記載したオプションボードまたは外部機器の電子機器本体への接続回路。
【発明の詳細な説明】
【技術分野】
【０００１】
この発明は電子機器に係わり、特に、そのオプションボードまたは外部機器の電子機器本体への接続回路に関する。
【背景技術】
【０００２】
例えば携帯無線機において、１機種の無線機本体を世界各国に供給し、各国の規格に対応するように各国別のオプションボードを無線機本体に装着することが行われている。このようなオプションボードを電子機器本体に接続する方式が特開２０００−２３６１８１号公報に提案されている。
【０００３】
特開２０００−２３６１８１号公報に提案された共通スロットに挿入される機能の異なる基板（オプションボード）の電子機器本体への接続方式では、挿入される各基板の入出力ピンを用途毎に所定位置に割り当て、共通スロットの接続部を前記用途毎に所定位置に割り当てられた各基板の入出力ピンと対応させて配置している。
【特許文献１】特開２０００−２３６１８１号公報、段落００２８、段落００２９、、図３
【発明の開示】
【発明が解決しようとする課題】
【０００４】
上記特開２０００−２３６１８１号公報に提案された共通スロットに挿入される機能の異なる基板（オプションボード）の電子機器本体への接続方式によると、例えば、オプションボードがデジタル入力／アナログ出力の機能を有する基板である場合は、共通スロットの接続部のデジタル主力／アナログ入力の端子は使用されるがデジタル入力／アナログ出力の端子は使用されずダミーとなる。
【０００５】
このようにダミーの端子が多く存在してコネクタの端子の数が多くなり、またそれに伴ってオプションボード基板や電子機器本体の基板のサイズも大きくなるという問題が発生する。
【０００６】
この発明は上記した点に鑑みてなされたものであって、その目的とするところは、コネクタの端子の数を少なくすることができるオプションボードまたは外部機器の電子機器本体への接続回路提供することにある。
【課題を解決するための手段】
【０００７】
この発明のオプションボードまたは外部機器の電子機器本体への接続回路は、電子機器本体に設けたオプションボードまたは外部機器接続用コネクターの各端子から延びる第１群の各線と電子機器本体側の各接続点から延びる第２群の各線との夫々の交点を導通状態または非導通状態とする夫々のスイッチを設け、装着されるオプションボードまたは外部機器の識別信号により前記夫々のスイッチの導通状態・非導通状態を設定するものである。
【０００８】
また、前記オプションボードまたは外部機器の電子機器本体への接続回路において、前記夫々のスイッチがアナログスイッチで構成されているものである。
【０００９】
さらに、前記各オプションボードまたは外部機器の電子機器本体への接続回路において、前記夫々のスイッチの導通状態・非導通状態の設定がＦＰＵにより行われるものである。
【００１０】
また、前記各オプションボードまたは外部機器の電子機器本体への接続回路において、前記アナログスイッチがクロスポイントスイッチＩＣで構成されているものである。
【００１１】
また、前記各オプションボードまたは外部機器の電子機器本体への接続回路において、前記電子機器本体を無線機本体としたものである。
【発明の効果】
【００１２】
この発明のオプションボードの電子機器本体への接続回路によれば、オプションボードメーカに使用する接続コネクタを指定するだけで、入出力のピンを自由に配置することができるのでオプションボードの設計の自由度が高まり、また、接続コネクタのピン数を少なくすることができ、装置の小型化が達成される。
【００１３】
また、この発明の外部機器の電子機器本体への接続回路によれば、スピーカジャックやマイクロホンジャック等をスピーカおよびマイクロホン等以外の機器の接続に用いることを可能とし、コネクタを有効に利用できる。
【発明を実施するための最良の形態】
【００１４】
以下この発明を実施するための最良の形態を実施例に即して説明する。
【実施例１】
【００１５】
図１はこの発明の実施例１である無線機のオプションボードの接続回路を示す回路図、図２は同無線機のオプションボードのコネクタピン配置例を示す図である。図１に示す無線機本体コネクタ１には図２に示すオプションボードＡのコネクタ５、オプションボードＢのコネクタ６またはオプションボードＣのコネクタ７のいずれかが接続される。
【００１６】
クロスポイントスイッチＩＣ２は各行および列のクロスポイントにアナログスイッチが配置されており、夫々のアナログスイッチは図示していないＦＰＵ（Field Program Unit) に制御されて導通状態または非導通状態に設定される。
【００１７】
クロスポイントスイッチＩＣ２の各列に接続される端子には無線機本体コネクタ１の各端子が接続されている。クロスポイントスイッチＩＣ２の各行に接続される端子にはＳＢ（電源）、ＡＦＯＵＴＰＵＴ（Audio Frequency Output) 、ＧＮＤ（グランド）等が接続されている。ＡＦＯＵＴＰＵＴはオーディオアンプ３の入力端子に接続され、オーディオアンプ３の出力端子はスピーカ４に接続されている。
【００１８】
上記実施例の構成において、オプションボードＡのコネクタ５の１番ピンがＳＢに、また、オプションボードＢのコネクタ６の１番ピンがＡＦＯＵＴＰＵＴに、また、オプションボードＣのコネクタ７の１番ピンがＧＮＤに接続されている。
【００１９】
どのオプションボードが接続されるかを図示していない無線機本体のデジタルスイッチまたはキースイッチの入力で図示していない無線機本体のＦＰＵに指示すると、ＦＰＵはクロスポイントスイッチＩＣ２を制御して、接続されたオプションボードの各入出力端子を無線機本体コネクタ１の対応する各端子に接続するように設定する。
【００２０】
このように、オプションボードの各入出力端子はクロスポイントスイッチＩＣ２により切り換えて無線機本体の対応する各端子に接続されるので、コネクタの使用されない端子の数を少なくすることができ、コネクタおよびオプションボードを小型化することが可能となる。また、オプションボードのコネクタ入出力端子はその位置を任意に決めることができるので、オプションボードのパターン配置における設計の自由度が高くなる。
【実施例２】
【００２１】
図３はこの発明の実施例２である無線機のスピーカ・マイクロホンジャックの接続回路を示す回路図である。この無線機はスピーカおよびマイクロホンを内蔵しているが、スピーカジャック８にスピーカを接続し、マイクロホンジャック９にマイクロホンを接続することにより外部のスピーカおよびマイクロホンを利用することができる。
【００２２】
クロスポイントスイッチＩＣ２の各列に接続される端子にはスピーカジャック８およびマイクロホンジャック９の各端子が接続されている。クロスポイントスイッチＩＣ２の各行に接続される端子には、例えば、ＳＢ、５Ｃ、５Ｍといった各電源端子および図示していないがスピーカやマイクロホンの入出力端子が接続されている。
【００２３】
なお、上記ＳＢ、５Ｃ、５Ｍの記載におけるＳＢは電源スイッチでオン・オフされる約１２Ｖのバッテリ電源である。また、５Ｃは電源スイッチでオン・オフされるバッテリを電源とする５Ｖ電源である。さらに、５Ｍはマイクロコンピュータでオン・オフされる５Ｖ電源である。
【００２４】
上記実施例の構成において、スピーカジャック８およびマイクロホンジャック９に何が接続されるかを図示していない無線機本体のデジタルスイッチまたはキースイッチの入力で、図示していない無線機本体のＦＰＵ（Field Program Unit) に指示する。
【００２５】
すると、ＦＰＵ（Field Program Unit) はクロスポイントスイッチＩＣ２を制御して、接続されたオプションボードの各入出力端子をスピーカジャック８およびマイクロホンジャック９に接続された機器の対応する各端子に接続するように設定する。
【００２６】
このように、接続された機器の各端子はクロスポイントスイッチＩＣ２により切り換えて無線機本体の対応する各端子に接続されるので、スピーカジャック８およびマイクロホンジャック９をスピーカおよびマイクロホン以外の機器の接続に用いることを可能とし、コネクタを有効に利用できる。
【００２７】
実施例は以上のように構成されているが発明はこれに限られず、例えば、クロスポイントスイッチＩＣの代わりにディスクリート部品のアナログスイッチ等を用いてもよい。また、この発明を無線機以外のたの電子機器に適用することも可能である。
【図面の簡単な説明】
【００２８】
【図１】この発明の実施例１である無線機のオプションボードの接続回路を示す回路図である。
【図２】同無線機のオプションボードのコネクタピン配置例を示す図である。
【図３】この発明の実施例２である無線機のスピーカ・マイクロホンジャックの接続回路を示す回路図である。
【符号の説明】
【００２９】
１  無線機本体コネクタ
２  クロスポイントスイッチＩＣ
３  オーディオアンプ
４  スピーカ
５  オプションボードＡのコネクタ
６  オプションボードＢのコネクタ
７  オプションボードＣのコネクタ
８  スピーカジャック
９  マイクロホンジャック
【図１】
2006066667.tif 000003
【図２】
2006066667.tif 000004
【図３】
2006066667.tif 000005